(57)【要約】      （修正有）【課題】コイルばねやヒンジ、押出し棒の配置を不要とし、簡略構成で、打抜きカスを確実に除去できるロータリーダイカッター用の打抜きカス除去具を提供する。【解決手段】第１ロール３２、第２ロール３３間を通過するシート状物体Ｓの打抜きを行うロータリーダイカッター用の打抜きカス除去具１であって、第１ロールの周面に配置したシート状物体の打抜きカスＳａ部分を突き刺す打抜きカス突き刺し体３と、第１ロールの周面における打抜きカス突き刺し体よりも回転方向後側の位置で第１ロールの軸方向に配置した軸支部４と、軸支部により中間支持部を回動可能に支持し、中間支持部から回転方向前側に配置し先端側に設けた凹部から打抜きカス突き刺し体の突出側を貫通させた打抜きカス払い出し片７、回転方向後側に配置した第２ロールの周面との接触により打抜きカス払い出し片を第１ロール側から離隔する方向に回動させる回動片８、及び回動片を外方に付勢する弾性体９を備える打抜きカス回動除去機構部とを有する。【選択図】図５
0003204937.tif 000002
【実用新案登録請求の範囲】
【請求項１】
回転駆動する第１ロール及びその第１ロールと所定の間隔をもって並列配置した第２ロールを有し、前記第１ロール、第２ロール間を通過する段ボールシートのようなシート状物体の所定部分の打抜きを行うロータリーダイカッターに用いられるロータリーダイカッター用の打抜きカス除去具であって、
前記第１ロールの軸方向に配置した軸支部と、この軸支部により中間支持部をシーソー構造で回動可能に支持するとともに、中間支持部から回転方向前側に配置された打抜きカス払い出し片、前記中間支持部から回転方向後側に配置した前記第２ロールの周面との接触により前記打抜きカス払い出し片を前記第１ロール側から離隔する方向に回動させる回動片を備える打抜きカス回動除去機構部と、
を有し、
前記第１ロール、第２ロールの回転に連動して、前記第１ロール、第２ロール間を通過するシート状物体の打抜きカス部分を、前記回動片と前記第２ロールの周面との接触による前記打抜きカス払い出し片の第１ロール側から離隔する方向への回動により、この打抜きカス払い出し片の外面によって、打抜きカス部分を前記第１ロール、第２ロールの外方へ払い出すようにしたことを特徴とするロータリーダイカッター用の打抜きカス除去具。
【請求項２】
回転駆動する第１ロール及びその第１ロールと所定の間隔をもって並列配置した第２ロールを有し、前記第１ロール、第２ロール間を通過する段ボールシートのようなシート状物体の所定部分の打抜きを行うロータリーダイカッターに用いられるロータリーダイカッター用の打抜きカス除去具であって、
前記第１ロールの周面に配置したシート状物体の打抜きカス部分を突き刺す打抜きカス突き刺し体と、
前記第１ロールの周面における前記打抜きカス突き刺し体よりも回転方向後側の位置で前記第１ロールの軸方向に配置した軸支部と、前記軸支部により中間支持部が回動可能に軸支されるとともに、中間支持部から回転方向前側に前記第１ロールの周面に沿って延在された打抜きカス払い出し片と、
前記中間支持部から回転方向後側に前記第１ロールの周面に沿って延在され、かつ、外方に膨出させた膨出部を具備し、この膨出部と前記第２ロールの周面との接触により前記第１ロール側に押圧され前記打抜きカス払い出し片を前記第１ロール側から離隔する方向に回動させる回動片と、
を具備し、
前記打抜きカス払い出し片の先端側に前記打抜きカス突き刺し体の突出側を貫通させて外方に突出させる凹部を設けた打抜きカス払い出し片と、前記回動片の背面と前記第１ロールの対応する周面との間に配置した前記回動片を外方に付勢する弾性体と、を具備する打抜きカス回動除去機構部を有し、
前記第１ロール、第２ロールの回転に連動して、前記第１ロール、第２ロール間を通過するシート状物体の打抜きカス部分を前記打抜きカス突き刺し体により突き刺した後、前記膨出部と前記第２ロールの周面との接触による前記打抜きカス払い出し片の第１ロール側から離隔する方向への回動により、この打抜きカス払い出し片における凹部周辺の外面によって、前記打抜きカス突き刺し体により突き刺さされた打抜きカス部分を前記第１ロール、第２ロールの外方へ払い出すようにしたことを特徴とするロータリーダイカッター用の打抜きカス除去具。
【請求項３】
前記第１ロールにおける前記軸支部の近傍領域に前記打抜きカス払い出し片の外方への回動を規制するストッパー体を、前記打抜きカス払い出し片の先端側両隅の背面側に、前記第１ロールに固着した一対の受片を更に設けたことを特徴とする請求項１又は２記載のロータリーダイカッター用の打抜きカス除去具。
【請求項４】
回転駆動する第１ロール及びその第１ロールと所定の間隔をもって並列配置した第２ロールを有し、前記第１ロール、第２ロール間を通過する段ボールシートのようなシート状物体の所定部分の打抜きを行うロータリーダイカッターに用いられるロータリーダイカッター用の打抜きカス除去装置であって、
前記第１ロールの周面に軸方向に列設配置したシート状物体の所定部分の打抜きを行う複数の打抜き刃と、
前記第１ロールの軸方向に配置した軸支部と、この軸支部により中間支持部をシーソー構造で回動可能に支持するとともに、中間支持部から回転方向前側に配置された打抜きカス払い出し片と、
前記中間支持部から回転方向後側に配置した前記第２ロールの周面との接触により前記打抜きカス払い出し片を前記第１ロール側から離隔する方向に回動させる回動片を備える打抜きカス回動除去機構部と、を具備する打抜きカス除去具を有し、
前記打抜きカス除去具を、前記複数の打抜き刃より回転方向後側で対応する個数分前記第１ロールの周面に軸方向に列設配置し、
前記第１ロール、第２ロールの回転に連動して、前記第１ロール、第２ロール間を通過するシート状物体の所定部分を前記複数の打抜き刃で各々打抜き、この打抜きにより生じた各打抜きカス部分を、前記複数の打抜きカス回動除去機構部の各回動片と前記第２ロールの周面との接触による前記各打抜きカス払い出し片の第１ロール側から離隔する方向への回動により、各打抜きカス払い出し片の外面によって、各打抜きカス部分を前記第１ロール、第２ロールの外方へ払い出すようにしたことを特徴とするロータリーダイカッター用の打抜きカス除去装置。
【請求項５】
回転駆動する第１ロール及びその第１ロールと所定の間隔をもって並列配置した第２ロールを有し、前記第１ロール、第２ロール間を通過する段ボールシートのようなシート状物体の所定部分の打抜きを行うロータリーダイカッターに用いられるロータリーダイカッター用の打抜きカス除去装置であって、
前記第１ロールの周面に軸方向に列設配置したシート状物体の所定部分の打抜きを行う複数の打抜き刃と、
前記第１ロールの周面の前記打抜き刃より回転方向後側に配置したシート状物体の打抜きカス部分を突き刺す打抜きカス突き刺し体と、
前記第１ロールの周面における前記打抜きカス突き刺し体よりも回転方向後側の位置で前記第１ロールの軸方向に配置した軸支部と、前記軸支部により中間支持部が回動可能に軸支されるとともに、中間支持部から回転方向前側に前記第１ロールの周面に沿って延在された打抜きカス払い出し片と、
前記中間支持部から回転方向後側に前記第１ロールの周面に沿って延在され、かつ、外方に膨出させた膨出部を具備し、この膨出部と前記第２ロールの周面との接触により前記第１ロール側に押圧され前記打抜きカス払い出し片を前記第１ロール側から離隔する方向に回動させる回動片と、
を具備し、
前記打抜きカス払い出し片の先端側に前記打抜きカス突き刺し体の突出側を貫通させて外方に突出させる凹部を設けた打抜きカス払い出し片と、前記回動片の背面と前記第１ロールの対応する周面との間に配置した前記回動片を外方に付勢する弾性体と、を備える抜きカス回動除去機構部とを具備する打抜きカス除去具を有し、
前記打抜きカス除去具を、前記複数の打抜き刃より回転方向後側で対応する個数分前記第１ロールの周面に軸方向に列設配置し、
前記第１ロール、第２ロールの回転に連動して、前記第１ロール、第２ロール間を通過するシート状物体の所定部分を前記複数の打抜き刃で各々打抜き、打抜きにより生じた各打抜きカス部分を前記各打抜きカス突き刺し体により突き刺した後、前記各膨出部と前記第２ロールの周面との接触による前記各打抜きカス払い出し片の第１ロール側から離隔する方向への回動により、各打抜きカス払い出し片における各凹部周辺の外面によって、前記各打抜きカス突き刺し体により突き刺さされた各打抜きカス部分を前記第１ロール、第２ロールの外方へ払い出すようにしたことを特徴とするロータリーダイカッター用の打抜きカス除去装置。
【請求項６】
前記第１ロールにおける前記各軸支部の近傍領域に前記各打抜きカス払い出し片の外方への回動を規制するストッパー体を、前記各打抜きカス払い出し片の先端側両隅の背面側に、前記第１ロールに固着した一対ずつの受片を更に設けたことを特徴とする請求項４又は５記載のロータリーダイカッター用の打抜きカス除去装置。
【考案の詳細な説明】
【技術分野】
【０００１】
本考案は、コイルばねやヒンジ、押出し棒の配置を不要とし、部品交換をほとんど必要としない簡略構成で、打抜きカスを確実に除去することができる段ボールシート類等のシート状物体を所定の形状に打抜くロータリーダイカッター用の打抜きカス除去具、及びロータリーダイカッターの打抜きカス除去装置に関するものである。
【背景技術】
【０００２】
従来、段ボールシート類等のようなシート状物体を所定の形状に打抜くロータリーダイカッターは、例えば、第１ロールと、その第１ロールと所定の間隔をもって並列配置した第２ロールとを有し、第１ロールの外周に打抜き刃と、打抜きカス除去具を順に取り付け、前記第１ロール、第２ロールを回転駆動し、前記第１ロール、第２ロール間を前記シート状物体が搬送され通過する間に前記打抜き刃により所定の形状に打抜き、更に、打抜きにより生じた打抜きカスを前記打抜きカス除去具により前記第１ロール、第２ロールの外方に除去するように構成している。
【０００３】
特許文献１及び特許文献２には、上述した打抜きカス除去具に相当する装置として、アンビルシリンダに対設されたナイフシリンダに保持歯を配置して打抜きカスを突き刺して保持するようにするとともに、ナイフシリンダの外周に円弧状の抜き型を取付け、その抜き型にヒンジ部材を取付け、前記ヒンジ部材によって揺動可能とされ、かつ、先端側に前記保持歯を突出状態で貫通させる切欠部を備えた屑落しアームと、その屑落しアームを抜き型の外周に向けて押圧するコの字形の押圧片を有するコイルばねとを支持すると共に、その両部材の支持位置を屑落しアームの長さ方向に位置をずらし、前記抜き型とナイフシリンダとに形成されて屑落しアームで覆われる貫通孔に押出し棒を挿入し、その押出し棒をナイフシリンダの内部の偏心位置に設けられた偏心シリンダにより半径方向外方に移動させて屑落しアームを揺動させ、その屑落しアームの先端側外面により前記切欠部を貫通する前記保持歯により保持されつつナイフシリンダの周方向に搬送される打抜き屑を外側に押し出し除去するように構成したロータリーダイカッターの打抜き屑除去装置が開示されている（特許文献１の図１、図２、及び特許文献２の図１、図２）。
【０００４】
しかし、特許文献１及び特許文献２に係る打抜き屑除去装置の場合、コイルばねの破損や保持歯の反り返り等が生じ易く、この際、装置の停止、部品交換、再起動を行う事態となり時間的ロスの発生、稼働率低下を招く惧れがあった。
【０００５】
また、特許文献１及び特許文献２に係る打抜き屑除去装置の場合、屑落しアームをヒンジで揺動可能に支持する構造や、押出し棒の配置が不可欠である等、全体構成が複雑で装置価格の上昇を招く惧れがあった。
【先行技術文献】
【特許文献】
【０００６】
【特許文献１】特開２００６−６８８４９号公報
【特許文献２】特開２００６−６１９９４号公報
【考案の概要】
【考案が解決しようとする課題】
【０００７】
本考案は、上記従来の事情に鑑みて開発されたものであり、従来例のようなコイルばねやヒンジ、更には押出し棒の配置を不要とし、部品交換をほとんど必要としない簡略構成でありながら打抜きカスを確実に除去することができ、装置の稼働率向上、装置価格の低廉化に寄与することができるロータリーダイカッター用の打抜きカス除去具、及び該打抜きカス除去具を用いシート状物体の所定部分の打抜きや打抜きカス除去を確実に実行することができるロータリーダイカッターの打抜きカス除去装置を提供するものである。
【課題を解決するための手段】
【０００８】
本考案のロータリーダイカッター用の打抜きカス除去具は、回転駆動する第１ロール及びその第１ロールと所定の間隔をもって並列配置した第２ロールを有し、前記第１ロール、第２ロール間を通過する段ボールシートのようなシート状物体の所定部分の打抜きを行うロータリーダイカッターに用いられるロータリーダイカッター用の打抜きカス除去具であって、前記第１ロールの軸方向に配置した軸支部と、この軸支部により中間支持部をシーソー構造で回動可能に支持するとともに、中間支持部から回転方向前側に配置された打抜きカス払い出し片、中間支持部から回転方向後側に配置した前記第２ロールの周面との接触により前記打抜きカス払い出し片を前記第１ロール側から離隔する方向に回動させる回動片を備える打抜きカス回動除去機構部を有し、前記第１ロール、第２ロールの回転に連動して、前記第１ロール、第２ロール間を通過するシート状物体の打抜きカス部分を前記回動片と前記第２ロールの周面との接触による前記打抜きカス払い出し片の第１ロール側から離隔する方向への回動により、この打抜きカス払い出し片の外面によって、打抜きカス部分を前記第１ロール、第２ロールの外方へ払い出すようにしたことを最も主要な特徴とする。
【考案の効果】
【０００９】
請求項１、２記載の考案によれば、従来例のようなコイルばねやヒンジ、更には押出し棒の配置を不要とし、部品交換をほとんど必要としない簡略構成の基に、前記第１ロール、第２ロールの回転に連動しつつシーソー構造のように回動可能とした打抜きカス回転除去機構部によってシート状物体における打抜きカスを確実に除去することができ、装置の稼働率向上、及び装置価格の低廉化に寄与することができるロータリーダイカッター用の打抜きカス除去具を実現し提供することができる。
【００１０】
請求項３記載の考案によれば、上記効果を奏するとともに、打抜きカス突き刺し体の刃先の外方への突出寸法を一定寸法に維持して打抜きカスの突き刺し動作を確実に行い、また、前記打抜きカス払い出し片による打抜きカスの部分の押し出し動作を確実に行うことができるロータリーダイカッター用の打抜きカス除去具を実現し提供することができる。
【００１１】
請求項４、５記載の考案によれば、上述したような打抜きカス除去具を複数個備え、かつ、複数の打抜き刃を備えた構成とし、従来例のようなコイルばねやヒンジ、更には押出し棒の配置を不要とし、部品交換をほとんど必要としない簡略構成の基に、装置の稼働率向上、及び装置価格の低廉化を実現することが可能な打抜きカス除去装置を実現し提供することができる。
【００１２】
請求項６記載の考案によれば、上記効果を奏するとともに、各打抜きカス突き刺し体の刃先の外方への突出寸法を一定寸法に維持して複数個所の打抜きカスの突き刺し動作を確実に行い、また、各打抜きカス払い出し片による打抜きカスの部分の押し出し動作を確実に行うことができるロータリーダイカッター用の打抜きカス除去装置を実現し提供することができる。
【図面の簡単な説明】
【００１３】
【図１】図１は本考案の実施例に係るロータリーダイカッター用の打抜きカス除去装置の概略構成図である。
【図２】図２は本考案の実施例に係るロータリーダイカッター用の打抜きカス除去具を示す概略正面図である。
【図３】図３は本実施例に係るロータリーダイカッター用の打抜きカス除去具を示す概略側面図である。
【図４】図４は本実施例に係るロータリーダイカッター用の打抜きカス除去具を示す概略斜視図である。
【図５】図５は本実施例に係るロータリーダイカッター用の打抜きカス除去具による打抜きカスの除去動作を示す動作説明図である。
【図６】図６は本実施例に係るロータリーダイカッター用の打抜きカス除去具を第１ロールに４連で配列した状態を示す概略斜視図である。
【考案を実施するための形態】
【００１４】
本考案は、従来例のようなコイルばねやヒンジ、更には押出し棒の配置を不要とし、部品交換をほとんど必要としない簡略構成でありながら打抜きカスを確実に除去することができ、装置の稼働率向上、及び装置価格の低廉化に寄与することができるロータリーダイカッター用の打抜きカス除去具を提供するという目的を、回転駆動する第１ロール及びその第１ロールと所定の間隔をもって並列配置した第２ロールを有し、前記第１ロール、第２ロール間を通過する段ボールシートのようなシート状物体の所定部分の打抜きを行うロータリーダイカッターに用いられるロータリーダイカッター用の打抜きカス除去具であって、前記第１ロールの軸方向に配置した軸支部と、前記軸支部により中間支持部が回動可能に軸支されるとともに、当該中間支持部から回転方向前側に前記第１ロールの周面に沿って延在された打抜きカス払い出し片と、中間支持部から回転方向後側に前記第１ロールの周面に沿って延在され、かつ、外方に膨出させた膨出部を具備し、この膨出部と前記第２ロールの周面との接触により前記第１ロール側に押圧され前記打抜きカス払い出し片を前記第１ロール側から離隔する方向に回動させる回動片と、を具備する打抜きカス回動除去機構部を有し、前記第１ロール、第２ロールの回転に連動して、前記第１ロール、第２ロール間を通過するシート状物体の打抜きカス部分を前記膨出部と前記第２ロールの周面との接触による前記打抜きカス払い出し片の第１ロール側から離隔する方向への回動により、打抜きカス部分を前記第１ロール、第２ロールの外方へ払い出す構成により実現した。
【実施例】
【００１５】
以下、図面を参照して、本考案の実施例に係るロータリーダイカッター用の打抜きカス除去具及びロータリーダイカッター用の打抜きカス除去装置について詳細に説明する。
【００１６】
図１は、本実施例に係る打抜きカス除去具１を含む打抜きカス除去装置２１を搭載したロータリーダイカッター３１の概略構成を示すものであり、前記ロータリーダイカッター３１は、図１等に示すように、第１ロール３２（換言すると、ダイカッターシリンダー）、第２ロール３３（換言すると、アンビルシリンダー、表層部分が例えばウレタン材のソフトアンビル）を所定の間隔をもって並列配置し、第１ロール３２、第２ロール３３を回転駆動し、すなわち、第１ロール３２を矢印ａ方向に、第２ロール３３を矢印ｂ方向に回転駆動し、前記第１ロール３２、第２ロール３３間を図示しない搬送駆動手段による搬送によって通過する段ボールシートのようなシート状物体Ｓの所定部分の打抜き刃２による打抜き、及び打抜きにより生じた打抜きカスＳａの打抜きカス除去具１による除去を行うように構成している。
【００１７】
次に、前記打抜きカス除去装置２１を構成する打抜きカス除去具１について、図２乃至図４を参照して詳述する。
【００１８】
前記打抜きカス除去具１は、図２乃至図４に示すように、前記第１ロール３２の肉厚部から周面の外方に向ける態様で、また、この第１ロール３２の軸方向に沿って所定の間隔で、かつ、刃先を第１ロール３２の回転方向に向けて配置した例えば２個の打抜きカス突き刺し体３と、前記第１ロール３２の周面における前記打抜きカス突き刺し体３よりも回転方向後側の位置で前記第１ロール３２の軸方向に所定の間隔をもって配置した一対の軸支部４と、前記軸支部４により回動可能に支持される軸体部５と一体化した長方形状を呈し、前記第１ロール３２の周面に沿って配置した中間支持部６と、前記中間支持部６から第１ロール３２の回転方向前側に向けて前記第１ロール３２の周面に沿って延在された打抜きカス払い出し片７と、前記中間支持部６から回転方向後側に向けて前記第１ロール３２の周面に沿って延在されるとともに外方に膨出させた膨出部８ａを具備し、この膨出部８ａと前記第２ロール３３の周面との接触により前記第１ロール３２側に押圧され、前記打抜きカス払い出し片７を前記第１ロール３２の周面から外方に離隔する方向に回動させる回動片８と、前記回動片８の背面と前記第１ロール３２の対応する周面との間に配置した前記回動片８を外方に付勢する例えばゴム、スポンジ等からなる弾性体９と、前記打抜きカス払い出し片７の突出端側の両隅部の背面と、前記第１ロール３２の対応する周面との間に配置した前記打抜きカス払い出し片７の突出端側の第１ロール３２の周面側への回動位置を規制するための薄厚の一対の受片１０と、前記一対の軸支部４のうち、一方の軸支部４の近傍位置で基部を前記第１ロール３２の対応する周面にねじ止めにより固着し、前記基部と一体のストッパー片１１ａを前記中間支持部６の外面近傍に臨ませて、前記打抜きカス払い出し片７の外方への回動を規制するストッパー体１１と、を具備する打抜きカス回動除去機構部１２を有している。
【００１９】
前記打抜きカス除去具１、打抜き刃２は、各図に示すように、第１ロール３２の周面側に装着される木型３４に夫々配置されている。
【００２０】
なお、図示例では、前記回動片８の背面と前記第１ロール３２の対応する周面との間に、前記回動片８を外方に付勢するゴム、スポンジ等からなる弾性体９を配置しているが、本考案においては、当該弾性体９を必須構成とするものではない。本考案においては、前記第１ロール３２の周面と第２ロール３３の周面との間にシート状物体Ｓ（例えばダンボール）を挟持しながら、打抜きカス除去具１自体が図１、図３、図５に示すようにシーソー構造のように回動可能であれば良いので、必ずしも当該弾性体９を配置しない場合でも実施できる。
【００２１】
本考案の打抜きカス除去具１は、第１ロール３２の周面に外方に膨出されるような状態で設置される打抜きカス除去具１自体が、第１ロール３２と第２ロール３３の周面間にシート状物体Ｓ（例えばダンボール）を挟持しながら回動する各ロールの回動に沿ってシーソー構造のように回動可能な構造となっているので、図１、図３、図５に示すように、前記第１ロール３２の周面と第２ロール３３の周面との間に挟持されているシート状物体Ｓ（例えばダンボール）は、製品によって多種多様の所定の部分が、打抜きカス除去具１の直前位置に配置されたり又は打抜きカス払い出し片７の周囲に配置（図示せず）される多種多様の打抜き刃２によって打ち抜かれた後、製品によって多種多様となる打抜きカス突き刺し体３（これは不要の場合がある）、打抜きカス払い出し片７によって当該打抜きカスＳａを突き刺しつつ押し出すようにして除去するような構造になっている。
【００２２】
したがって、本考案の打抜きカス除去具１は、シート状物体Ｓ（例えばダンボール製品）の種類によって、前記打抜き刃２、打抜きカス突き刺し体３（これは不要の場合がある）、打抜きカス払い出し片７の形態、形状、配置位置を多種多様なものとすることが可能である。
【００２３】
また、本考案においては、多種多様なダンボール製品の種類によっては前記打抜きカス突き刺し体３が不要な場合があるので、当該打抜きカス突き刺し体３を必須構成とするものではない。
【００２４】
そして、本考案の打抜きカス除去具１は、に応じて、例えばダンボール製品の当該打抜き部分に合致する第１ロール３２の周面の位置（例えば、第１ロール３２の周面の外側、内側、最内側等）に単数、又は複数設置することが可能である。
【００２５】
なお、図２等に示す前記ストッパー体１１は、この装着を必ずしも必須とするものではなく、これを装着せずに実施しても良い。
【００２６】
前記打抜きカス払い出し片７の突出端側（先端側）には、前記一対の打抜きカス突き刺し体３の各突出側（刃先）を各々貫通させて外方に突出させる一対の凹部７ａを設けている。
【００２７】
上述したように前記打抜きカス払い出し片７、回動片８は、前記一対の軸支部４によりシーソー構造で軸支され、前記第１ロール３２の回転方向周面に沿う態様で回動するように構成している。
【００２８】
次に、図５を参照して前記打抜きカス除去具１による前記シート状物体Ｓの所定部分の打抜き刃２による打抜きにより生じた打抜きカスＳａの除去動作について説明する。
【００２９】
前記打抜きカス除去具１において、前記第１ロール３２、第２ロール３３の回転に連動して、この前記打抜きカス除去具１は矢印ａ方向に回転移動し、前記第１ロール３２、第２ロール３３間を通過するシート状物体Ｓにおける前記打抜き刃２により打抜き済の打抜きカスＳａ部分を、まず図５上欄に示すように、前記打抜きカス突き刺し体３の刃先により突き刺す。
【００３０】
この後、前記第１ロール３２、第２ロール３３のさらなる回転に応じて前記回動片８の膨出部８ａが前記第２ロールの周面と接触し、前記回動片８は前記弾性体９の弾力に抗して第１ロール３２に近づく方向に回動する。
【００３１】
なお、前記したように、本考案においては、当該弾性体９を必須構成とするものではない。
【００３２】
この結果、図５下欄に示すように、前記前記打抜きカス払い出し片７はシーソー構造により第１ロール３２側から離隔する方向へ回動し、このとき、この打抜きカス払い出し片７における前記凹部７ａ周辺の外面によって、前記打抜きカス突き刺し体３により突き刺さされた打抜きカスＳａの部分を押し出すようにして前記第１ロール、第２ロールの外方へ払い出す。
【００３３】
なお、前記打抜きカス突き刺し体３は、前記したように、不要な場合があり、打抜きカス突き刺し体３を設けない場合には、前記打抜きカス払い出し片７でもってカスを除去する。
【００３４】
この後、前記回動片８、したがって、前記打抜きカス払い出し片７は、前記弾性体９の弾力により元位置に復帰する。
【００３５】
上述したような打抜きカス除去具１によれば、従来例のようなコイルばねやヒンジ、更には押出し棒の配置を不要とし、部品交換をほとんど必要としない簡略構成の基に、前記第１ロール３２、第２ロール３３の回転に連動しつつシート状物体Ｓにおける打抜きカスＳａを確実に除去することができ、装置の稼働率向上、及び装置価格の低廉化に寄与することができる。
【００３６】
また、前記一対の受片１０により、前記打抜きカス払い出し片７の突出端側の第１ロール３２の周面側への回動規制を行い、また、前記ストッパー体１１のストッパー片１１ａにより前記打抜きカス払い出し片７の外方への回動を規制するようにしているので、前記打抜きカス払い出し片７の回動範囲を一定範囲に制限し、前記一対の打抜きカス突き刺し体３の刃先の外方への突出寸法を一定寸法に維持できるとともに、前記打抜きカス払い出し片７における前記一対の凹部７ａ周辺の外面による打抜きカスＳａの部分の押し出し動作を確実に行うことができる。
【００３７】
なお、前記したように、ストッパー体１１は、この装着を必ずしも必須とするものではなく、これを装着せずに実施しても良い。
【００３８】
図６は上述した打抜きカス除去具１を第１ロール３２の周面において軸方向に４連で配列した状態を示すものである。
【００３９】
上述したような４連の打抜きカス除去具１を備え、かつ、これに対応する４連の打抜き刃２を配置した第１ロール３２を用いて構成する打抜きカス除去装置２１によれば、前記シート状物体Ｓにおける４箇所の打抜きと、打抜きにより生じた４箇所の打抜きカスＳａの部分の第１ロール、第２ロールの外方への払い出しとを前記第１ロール３２、第２ロール３３の回転に連動して一挙に実行することができ、従来例のようなコイルばねやヒンジ、更には押出し棒の配置を不要とし、部品交換をほとんど必要としない簡略構成の基に、装置の稼働率向上、及び装置価格の低廉化を実現することが可能な打抜きカス除去装置２１を実現することができる。
【００４０】
なお、第１ロール３２に対する打抜きカス除去具１の配置個数は、上述した例に限定されるものではなく、対象とするシート状物体Ｓのサイズに応じて種々の変形実施が可能であることは勿論である。
【産業上の利用可能性】
【００４１】
本考案の打抜きカス除去具は、上述した段ボールシート類の他、段ボールシートとは別の各種紙製品用シート等の打抜きカス除去用として広範に応用可能である。
【符号の説明】
【００４２】
１    打抜きカス除去具
２    打抜き刃
３    打抜きカス突き刺し体
４    軸支部
５    軸体部
６    中間支持部
７    打抜きカス払い出し片
７ａ  凹部
８    回動片
８ａ  膨出部
９    弾性体
１０    受片
１１    ストッパー体
１１ａ  ストッパー片
１２    打抜きカス回動除去機構部
２１    打抜きカス除去装置
３１    ロータリーダイカッター
３２    第１ロール
３３    第２ロール
３４    木型
Ｓ    シート状物体
Ｓａ  打抜きカス
【図１】
0003204937.tif 000003
【図２】
0003204937.tif 000004
【図３】
0003204937.tif 000005
【図４】
0003204937.tif 000006
【図５】
0003204937.tif 000007
【図６】
0003204937.tif 000008